(57)【要約】【課題】１回の操作で堅固に長尺物を挟み込むと同時に本体部材に接続することができる長尺物接続具を提供する。【解決手段】長尺物接続具は、所定長さの棒状体または筒状体からなる本体部材を有する。この本体部材はチャックを連結している。この本体部材またはこのチャックにはナット部材がねじ込まれている。このナット部材のねじ込み作用によりこのチャックが縮径してケーブルを堅固に挟み込むと同時に本体部材とチャックとを連結する。【選択図】図１
2010096344.tif 000002
【特許請求の範囲】
【請求項１】
２本の長尺物の切断端同士を接続する長尺物接続具であって、
上記２本の長尺物のうちの一方の長尺物の切断端が挿入される挿入路が形成され、この挿入路の幅が拡縮自在に構成されるとともに、上記２本の長尺物のうちの他方の長尺物の切断端が接続されるチャックと、
ねじ込み作用に基づいて上記挿入路の幅を縮小して上記チャックにより上記一方の長尺物の切断端を堅固に挟み込むナット部材とを有する長尺物接続具。
【請求項２】
上記長尺物接続具は所定長さの本体部材を有し、この本体部材の長さ方向の一端に上記チャックが連結され、この本体部材の長さ方向の他端には上記他方の長尺物が連結された請求項１に記載の長尺物接続具。
【請求項３】
上記チャックは、上記挿入路の延在する方向に沿って先細り状に形成されることにより、テーパ外面を有するとともに、
上記ナット部材は、上記本体部材の長さ方向の一端部の外面に形成された雄ねじ部に螺合するナット部と、
上記テーパ外面に係合するテーパ内面とを有する請求項２に記載の長尺物接続具。
【請求項４】
上記本体部材の長さ方向の一端部は軸孔を有する筒体で形成され、その軸孔は軸方向に沿って口径が徐々に減少することによりテーパ内面を有し、
上記チャックは、上記挿入路の延在する方向に沿って先細り状に形成されることにより、上記軸孔に挿入されたとき、上記テーパ内面と係合するテーパ外面を有するとともに、
このチャックが、上記軸孔に挿入されたとき、この軸孔より外部に突出し、上記ナット部材が螺合される雄ねじ部を有する請求項２に記載の長尺物接続具。
【請求項５】
上記本体部材は、その長さ方向の一端部に第１のチャックが、その長さ方向の他端部に第２のチャックがそれぞれ連結され、
第１のチャックは、一方の上記長尺物の一端が挿入される挿入路が形成され、この挿入路の幅が拡縮自在に構成され、第１のナット部材のねじ込み作用により挿入路の幅が縮小し、
第２のチャックは、他方の長尺物の一端が挿入される挿入路が形成され、この挿入路の幅が拡縮自在に構成され、第２のナット部材のねじ込み作用により挿入路の幅が縮小する請求項２に記載の長尺物接続具。
【請求項６】
上記第１のチャックおよび上記第２のチャックは、上記挿入路の延在する方向に沿って先細り状に形成されることにより、テーパ外面をそれぞれ有するとともに、
上記第１のナット部材および上記第２のナット部材は、上記本体部材の長さ方向の一端部の外面に形成された雄ねじ部に螺合するナット部と、
上記テーパ外面に係合するテーパ内面とをそれぞれ有する請求項５に記載の長尺物接続具。
【請求項７】
上記本体部材の長さ方向の一端部は軸孔を有する筒体で形成され、その軸孔は軸方向に沿って口径が徐々に減少することによりテーパ内面を有し、
上記第１のチャックおよび上記第２のチャックは、上記挿入路の延在する方向に沿って先細り状に形成されることにより、上記軸孔に挿入されたとき、上記テーパ内面と係合するテーパ外面をそれぞれ有するとともに、
上記第１のチャックおよび上記第２のチャックが、上記軸孔に挿入されたとき、この軸孔より外部に突出し、上記第１のナット部材および上記第２のナット部材が螺合される雄ねじ部をそれぞれ有する請求項５に記載の長尺物接続具。
【請求項８】
上記本体部材は、所定長さの棒状体または筒状体の第１の本体部と、
所定長さの棒状体または筒状体の第２の本体部とを有し、
この第１の本体部の長さ方向の一端部と、この第２の本体部の長さ方向の一端部とが、所定長さの補助長尺物により連結されている請求項２〜請求項７のいずれか１項に記載の長尺物接続具。
【請求項９】
上記チャックの上記挿入路を構成する面には凹凸が形成されている請求項２〜請求項８のいずれか１項に記載の長尺物接続具。
【請求項１０】
上記チャックは、棒状体または筒状体を、その軸線を含む平面で複数の分割片に分割して構成され、これらの分割片が組み合わされて全体として棒状体または筒状体を形成したとき、先細り状に形成される請求項３、４、６、７、８、９のいずれか１項に記載の長尺物接続具。
【請求項１１】
上記分割片が全体として棒状体または筒状体を形成したとき、隣り合う分割片の一方に凸部、他方に凹部が形成され、この凸部とこの凹部が嵌合させることにより、上記チャックの長さ方向のズレを防ぐ請求項１０に記載の長尺物接続具。
【請求項１２】
上記チャックには、その基端側からその長さ方向に沿って延びるスリットが形成されている請求項３、４、６、７、８、９のいずれか１項に記載の長尺物接続具。
【請求項１３】
上記長尺物は電線であって、上記チャックは導電性材料で形成された請求項１〜請求項１２のいずれか１項に記載の長尺物接続具。
【請求項１４】
上記本体部材は、導電性材料で形成された請求項１３に記載の長尺物接続具。
【請求項１５】
上記チャックおよび上記本体部材は上記電線と同一系統の材料で形成された請求項１４に記載の長尺物接続具。
【請求項１６】
上記チャックおよび上記本体部材は、絶縁部材により被覆された請求項１４または請求項１５に記載の長尺物接続具。
【発明の詳細な説明】
【技術分野】
【０００１】
この発明は長尺物接続具、例えば２本のケーブルの自由端同士を接続する長尺物接続具に関する。
【背景技術】
【０００２】
従来の長尺物接続具、例えば切断された送電用電線を接続するための接続具として、特許文献１に記載された電線接続用スリーブが知られている。
この特許文献１に記載された電線接続用スリーブは、スリーブ本体の挿入穴に筒体であるスペーサが挿入され、スペーサを介して挿入穴に被覆が剥離された電線の導体露出部の一端部が挿通されている。この電線の一端部は、スリーブ本体の長さ方向に沿って配設された複数のボルトの先端が直接当接することにより、または、スペーサを介して間接に押圧されることにより、圧縮されて接続される構成である。
また、このスリーブの変形例として、円柱状接続導体の両端部に内筒体と外筒体とをねじ込み、これらの内筒体、外筒体の貫通穴に円錐状チャックを保持させ、さらにこれらチャックの軸孔（電線挿入孔）に電線の切断端を挿入した接続用スリーブが開示されている。そして、この内筒体と外筒体とを螺合させることにより、挿入された電線が圧縮される構成とされている。
【特許文献１】特開２００７−１２８８１６号公報
【発明の開示】
【発明が解決しようとする課題】
【０００３】
しかしながら、前者の場合、電線同士を堅固に接続するには、複数のボルトをスリーブ本体に螺合させる必要があり、多大な手間と時間がかかるという問題がある。また、後者の場合、想像するに、円錐状チャックが塑性変形することにより電線挿入孔が縮径されて電線の切断端を圧縮するため、円錐状チャックがかなり軟らかい素材に限定されること、および、これを再使用することができないという問題を有している。
【０００４】
そこで、この発明は、１回の操作で堅固に長尺物をチャックに挟み込むと同時に本体部材に接続することができる長尺物接続具を提供することを、その目的とする。
また、この発明は、再使用が可能な長尺物接続具を提供することを、その目的としている。
【課題を解決するための手段】
【０００５】
請求項１に記載の発明は、２本の長尺物の切断端同士を接続する長尺物接続具であって、上記２本の長尺物のうちの一方の長尺物の切断端が挿入される挿入路が形成され、この挿入路の幅が拡縮自在に構成されるとともに、上記２本の長尺物のうちの他方の長尺物の切断端が接続されるチャックと、そのねじ込み作用に基づいて上記挿入路の幅を縮小して上記チャックにより上記一方の長尺物の切断端を堅固に挟み込むナット部材とを有する長尺物接続具である。
請求項１に記載の発明によれば、まず、一方の長尺物の切断端をチャックの挿入路に挿入する。このとき、他方の長尺物の切断端はこのチャックに接続されている。その後、ナット部材をねじ込むことにより、上記挿入路を縮小して（狭めて）、挿入された長尺物の切断端をチャックにより堅固に挟み込むことができる。
この場合の長尺物は、ある長さをもった電線や光ファイバーなどのケーブルや、ワイヤやロープなどのことである。
拡縮自在とは、チャックが塑性変形することにより挿入路の幅を拡大し、また縮小することではなく、例えばチャックに長さ方向に複数のスリットを形成することにより、または、円筒体のチャックを縦割りにして複数片に分割することにより、このチャック分割片同士の間に隙間（挿入路）が形成され、この隙間を拡大また縮小することにより、挿入路の幅を拡縮することをいう。
【０００６】
請求項２に記載の発明は、上記長尺物接続具は所定長さの本体部材を有し、この本体部材の長さ方向の一端に上記チャックが連結され、この本体部材の長さ方向の他端には上記他方の長尺物が連結された請求項１に記載の長尺物接続具である。
請求項２に記載の発明によれば、一方の長尺物の切断端をチャックの挿入路に挿入し、ナット部材を、例えば本体部材またはチャックにねじ込むことにより、チャックは長尺物を挟み込むと同時に、このチャックが本体部材に接続される。そして、この本体部材に他方の長尺物の切断端を接続することで、２本の長尺物同士を接続し、連続した１本の長尺物とすることとなる。
【０００７】
請求項３に記載の発明は、上記チャックは、上記挿入路の延在する方向に沿って先細り状に形成されることにより、テーパ外面を有するとともに、上記ナット部材は、上記本体部材の長さ方向の一端部の外面に形成された雄ねじ部に螺合するナット部と、上記テーパ外面に係合するテーパ内面とを有する請求項２に記載の長尺物接続具である。
チャックは円筒体であっても、円柱体であってもよい。要は、所定の長さを有して挿入路を形成することができ、その外面をテーパ面とし、ナット部材のテーパ内面が係合できる構成となっていることが必要である。
【０００８】
請求項４に記載の発明は、上記本体部材の長さ方向の一端部は軸孔を有する筒体で形成され、その軸孔は軸方向に沿って口径が徐々に減少することによりテーパ内面を有し、上記チャックは、上記挿入路の延在する方向に沿って先細り状に形成されることにより、上記軸孔に挿入されたとき、上記テーパ内面と係合するテーパ外面を有するとともに、このチャックが、上記軸孔に挿入されたとき、この軸孔より外部に突出し、上記ナット部材が螺合される雄ねじ部を有する請求項２に記載の長尺物接続具である。
本体部材の一端部は所定長さを有した例えば円筒体で構成され、その円筒体の軸孔（先窄まり状の軸方向に延びる孔）に例えば先細り円筒体（円錐台形状）のチャックが嵌入または挿入さている。ナット部材は軸孔から突出したチャックの外面の雄ねじ部に螺合する構成である。
【０００９】
請求項５に記載の発明は、上記本体部材は、その長さ方向の一端部に第１のチャックが、その長さ方向の他端部に第２のチャックがそれぞれ連結され、第１のチャックは、一方の上記長尺物の一端が挿入される挿入路が形成され、この挿入路の幅が拡縮自在に構成され、第１のナット部材のねじ込み作用により挿入路の幅が縮小し、第２のチャックは、他方の長尺物の一端が挿入される挿入路が形成され、この挿入路の幅が拡縮自在に構成され、第２のナット部材のねじ込み作用により挿入路の幅が縮小する請求項２に記載の長尺物接続具である。
請求項５に記載の発明によれば、一方の長尺物の端部をチャックの挿入路に挿入し、ナット部材を本体部材にねじ込むことにより、チャックは長尺物を挟み込むと同時に、このチャックが本体部材に接続される。そして、この本体部材に他方の長尺物の切断端を接続することで、２本の長尺物同士を接続することとなる。
【００１０】
請求項６に記載の発明は、上記第１のチャックおよび上記第２のチャックは、上記挿入路の延在する方向に沿って先細り状に形成されることにより、テーパ外面をそれぞれ有するとともに、上記第１のナット部材および上記第２のナット部材は、上記本体部材の長さ方向の一端部の外面に形成された雄ねじ部に螺合するナット部と、上記テーパ外面に係合するテーパ内面とをそれぞれ有する請求項５に記載の長尺物接続具である。
【００１１】
請求項７に記載の発明は、上記本体部材の長さ方向の一端部は軸孔を有する筒体で形成され、その軸孔は軸方向に沿って口径が徐々に減少することによりテーパ内面を有し、上記第１のチャックおよび上記第２のチャックは、上記挿入路の延在する方向に沿って先細り状に形成されることにより、上記軸孔に挿入されたとき、上記テーパ内面と係合するテーパ外面をそれぞれ有するとともに、上記第１のチャックおよび上記第２のチャックが、上記軸孔に挿入されたとき、この軸孔より外部に突出し、上記第１のナット部材および上記第２のナット部材が螺合される雄ねじ部をそれぞれ有する請求項５に記載の長尺物接続具である。
請求項７に記載の発明によれば、本体部材の両端部に２本の長尺物の端部をそれぞれ接続することができる。チャックに長尺物の端部を挿入し、ナット部材がチャックにねじ込まれることにより、チャックは長尺物を挟み込むと同時に、チャックが本体部材に接続される。
【００１２】
請求項８に記載の発明は、上記本体部材は、所定長さの棒状体または筒状体の第１の本体部と、所定長さの棒状体または筒状体の第２の本体部とを有し、この第１の本体部の長さ方向の一端部と、この第２の本体部の長さ方向の一端部とが、所定長さの補助長尺物により連結されている請求項２〜請求項７のいずれか１項に記載の長尺物接続具である。
請求項７に記載の発明によれば、この本体部材は本体部の他端部に補助長尺物の一端を接続してあり、この補助電線の他端に、別の本体部を接続するものである。補助長尺物を使用するため、２本の長尺物同士を接続する際に、長尺物接続具の長さでの自由度を確保することができる。補助長尺物としては、リール巻き線を所望長さに現場で切断して使用することができる。または、あらかじめ異なる長さの補助長尺物の両端に一対の本体部材を固定接続した長尺物接続具を複数組準備しておいても良い。
なお、棒状体とは一定径の棒を含む他、棒部分と筒部分とを有する場合も含む趣旨であり、筒状体は、円筒などの他、一部に筒でない部分を含む所定長さの筒と同一視できる部材を含む趣旨である。
【００１３】
請求項９に記載の発明は、上記チャックの上記挿入路を構成する面には凹凸が形成されている請求項２〜請求項８のいずれか１項に記載の長尺物接続具である。
請求項９に記載の発明によれば、長尺物をチャックに挟み込む。このときに、長尺物は、チャック内面の凹凸により噛み込まれ、チャックから抜け落ちることを防止することができる。
【００１４】
請求項１０に記載の発明は、上記チャックは、棒状体または筒状体を、その軸線を含む平面で複数の分割片に分割して構成され、これらの分割片が組み合わされて全体として棒状体または筒状体を形成したとき、先細り状に形成される請求項３、４、６、７、８、９のいずれか１項に記載の長尺物接続具である。
チャックは筒状であっても、棒状であってもよい。要は、チャックは、縦割りに複数部分に分割され、これら分割片の間に挿入路を形成し、長尺物の一端を挟み込むことができるものとする。
請求項１０に記載の発明によれば、チャックを複数の分割片で構成したため、そのチャックの挿入路について拡縮の自由度が大きくなる。このため、径の異なる長尺物であってもチャックにより容易にかつ堅固に挟み込むことができる。
【００１５】
請求項１１に記載の発明は、上記分割片が全体として棒状体または筒状体を形成したとき、隣り合う分割片の一方に凸部、他方に凹部が形成され、この凸部とこの凹部が嵌合させることにより、上記チャックの長さ方向のズレを防ぐ請求項１０に記載の長尺物接続具である。
分割片同士が長さ方向にずれることを防止でき、容易かつ確実にチャッキングを行える。
【００１６】
請求項１２に記載の発明は、上記チャックには、その基端側からその長さ方向に沿って延びるスリットが形成されている請求項３、４、６、７、８、９のいずれか１項に記載の長尺物接続具である。
スリットは単一でも円周方向に離間した複数のスリットにて形成することができる。スリットの長さについても任意とすることができる。ただし、外方からチャックに内方に向かう外力が付加されたとき、これらのスリットによりチャックが弾性的に変形することで、長尺物を堅固に挟み込むこととする。
【００１７】
請求項１３に記載の発明は、上記長尺物は電線であって、上記チャックは導電性材料で形成された請求項１〜請求項１２のいずれか１項に記載の長尺物接続具である。
チャックを導電性材料（アルミなど）とすることで、電線の切断端同士を電気的に接続可能とするものである。
【００１８】
請求項１４に記載の発明は、上記本体部材は、導電性材料で形成された請求項１３に記載の長尺物接続具である。
チャックおよび本体部材をともに導電性材料とすることで、電気的接続を可能とするものである。
【００１９】
請求項１５に記載の発明は、上記チャックおよび上記本体部材は上記電線と同一系統の材料で形成された請求項１４に記載の長尺物接続具である。
例えば電線（心材）がアルミニウムであれば、チャック及び本体部材をアルミニウムとする場合の他、これらをアルミニウム合金で構成することも含まれる趣旨である。電蝕を防ぐ効果を期待できる。
【００２０】
請求項１６に記載の発明は、上記チャックおよび上記本体部材は、絶縁部材により被覆された請求項１４または請求項１５に記載の長尺物接続具である。
導電材料についてはその外周を絶縁材料で覆う。例えば絶縁テープによる被覆、絶縁パイプまたは絶縁性チューブ（樹脂製常温収縮チューブなど）による被包などである。また、チューブによる被覆では、被覆により、高度の絶縁性の確保とともに、併せて水分の侵入を阻止することもでき、さらに引っ張り強度を高めることも期待できる。
【発明の効果】
【００２１】
本発明に係る長尺物接続具は、２本の長尺物を接続する際に、１回の操作だけでチャックがケーブルを堅固に挟み込むことにより、長尺物の切断端同士を接続し、１本の長尺物に形成することができる。また、本体部材を用いることにより、ナット部材のねじ込み作用によりチャックと長尺物との接続と同時にチャックを本体部材に連結することができる。そのため、短時間でかつ容易に、２本のケーブル（長尺物）を確実に接続することができる。
【発明を実施するための最良の形態】
【００２２】
以下、図１〜図９を参照して本発明の実施例を説明する。なお、本発明はこれらの実施例に限定されるものではない。
【実施例１】
【００２３】
図１〜図４は本発明の実施例１に係る長尺物接続具を示す。まず、図３において示すように、実施例１に係る一対の長尺物接続具１０Ａ，１０Ｂは、それぞれ、チャック１１Ａ，１１Ｂと、ナット部材１２Ａ，１２Ｂと、補助電線固定部材（本体部材）１３Ａ，１３Ｂと、補助電線（補助長尺物）１４とを有して構成されている。つまり、所定長さの補助電線（絶縁被覆されている）１４の両端に一対の補助電線固定部材１３Ａ，１３Ｂがそれぞれ固着され、これらの補助電線固定部材１３Ａ，１３Ｂに一対のチャック１１Ａ，１１Ｂが、一対のナット部材１２Ａ，１２Ｂによりそれぞれ接続されている。
以下、図１〜図４に基づいて一方の補助電線固定部材１３Ａ、チャック１１Ａ、ナット部材１２Ａについて説明し、同一構造の他方のそれら１３Ｂ，１１Ｂ，１２Ｂについての説明は省略する。
【００２４】
上記チャック１１Ａは、所定長さの細長い先細り形状の円筒体（外見は円錐台形状）を、その軸線を含む平面で二分割する（縦割りする）ことにより構成されている。すなわち、チャック１１Ａは、一対の半割りの部分チャック（分割片）１１Ａａ，１１Ａｂ同士をその分割面で対向させたとき、先細り状の筒体を構成することとなる。このチャック１１Ａは、架設電線１００Ａの芯線と同一系統の材料（例えばアルミニウム同士またはアルミニウムとアルミニウム合金）で形成されている。このチャック１１Ａは、これら半割りの部分チャック（分割片）の間に架設電線１００Ａの芯線（切断端）１０１Ａを挟み込むこととなる。このチャック１１Ａの分割片１１Ａａ，１１Ａｂの間に架設電線１００Ａの芯線１０１Ａを挟み込み、これら分割片１１Ａａ，１１Ａｂ同士を組み合わせて筒体を形成することにより、これらの分割片１１Ａａ，１１Ａｂで構成される、断面一定の軸孔内に架設電線１００Ａの一方の切断端を挟み込むこととなる。
このチャック１１Ａは、一対の分割片同士を組み合わせて１本の筒体を形成したとき、その外形は先細り状に形成され、その先端側が徐々に小径となっている。チャック１１Ａの基端側は、一定径の棒状部材（中実の円柱）で構成された補助電線固定部材１３Ａ（本体部材）の一端面と略同径に形成されてこの一端面に当接している。すなわち、筒体を形成したチャック１１Ａの基端は、先端に比較して大径である。さらに、このチャック１１Ａの分割片１１Ａａ，１１Ａｂの内周面には円周方向の複数の凹凸（複数の円周溝）がそのチャック１１Ａの長さ方向に連続して形成されている。これらの凹凸は上記芯線１０１Ａを挟みこんだときの抜け止めとして機能することとなる。
また、このチャック１１Ａは２つの分割片１１Ａａ，１１Ａｂにより構成されているため、これらが接近離隔することで全体としては拡縮径自在に形成されていることとなる。このため、筒体を形成したときのチャック１１Ａの軸孔が架設電線１００Ａの芯線１０１Ａの太さに対応して拡縮することができる。なお、軸孔の最小径は一対の分割片の分割面同士が当接したときであって、芯線１０１Ａの直径はこの最小径よりも大きい。これは、架設電線の口径の違いに応じてチャックなどを準備することを意味する。
【００２５】
また、図２に示すように、このチャック１１Ａの一方の分割片１１Ａａの長さ方向で分割線に沿った任意の箇所に凸部が形成されている。このチャック１１Ａの分割片１１Ａａの凸部に対応する他方の分割片１１Ａｂの位置（長さ方向で同じ位置）には、凸部が嵌合可能な大きさの凹部が形成されている。また、分割片１１Ａａの別の箇所に凹部が形成されている。このチャックの１１Ａｂには凸部が形成されている。これらの凸部と凹部が嵌合しあうことによりチャックの分割片同士の長さ方向のずれを防ぐことができる。
【００２６】
上記ナット部材１２Ａは、筒体のチャック１１Ａを補助電線固定部材１３Ａの一端面に突き合わせて同軸的に接続する。ナット部材１２Ａは上記架設電線１００Ａの芯線１０１Ａと同系統の材料（例えばアルミニウム合金）であって、チャックよりやや短い所定長さの円筒体で形成されている。このナット部材１２Ａの軸孔がその長さ方向に沿ってその一端から他端に向かって連続的に縮径している。長さ方向の一端開口が最も大径で、他端開口が最も小径である。この大径の一端開口から上記一対のチャック１１Ａを先細り状の筒体が挿入されて、その小径の他端開口からこの筒体の最大径部である一端部が抜け出ることが妨げられる構成である。このように先細り状の筒体であるチャック１１Ａの外周面に、ナット部材１２Ａの軸孔内周面が摺接して係合するため、これらの先細り面の傾斜角度と軸孔内周面のそれとはほぼ同じに設定されている。
このナット部材１２Ａの軸孔の一端部の内周面には、所定長さ範囲にわたって内周ねじが形成されている。この内周ねじ（雌ねじ）は上記補助電線固定部材１３Ａの一端部の外周面に形成された外周ねじ（雄ねじ）に螺合される。
このナット部材１２Ａの軸孔内には、上記筒体のチャック１１Ａが挿入され、ナット部材１２Ａはチャック１１Ａを外側から押圧する。特に、このナット部材１２Ａの内周ねじを補助電線固定部材１３Ａの一端部の外周ねじに螺合すると、チャック１１Ａ全体が均等に内側に向かって押圧される。このため、架設電線１００Ａが撚り電線の場合でも、従来のような圧縮に伴う芯線の解れが少なくなる。
そして、このナット部材１２Ａが螺入すればするほど、架設電線１００Ａと、チャック１１Ａとの接続強度が強くなる。
【００２７】
上記補助電線固定部材１３Ａは、上記架設電線１００Ａの芯線１０１Ａと同系統の材料で形成されている。この補助電線固定部材１３Ａは一定の長さを有する円柱体（棒材）であり、その他端部には後述する補助電線１４が挿入、固定された孔が形成されている。この孔に、補助電線１４が挿入・固定されている。固定はあらかじめ圧縮工具を用いて固定部材を圧縮することにより、強固になされている。
【００２８】
上記補助電線１４は、架設電線と同じ材料の複数の芯線を有する部材である。この補助電線１４の複数の芯線を撚って一本にした導体の外周に絶縁体（例えばポリエチレン）を被覆した、いわゆる撚り電線である。この補助電線１４の芯線は断面積５８ｍｍ２の高圧送電用であり、この補助電線１４の強度は架設電線１００Ａと同等程度に設計されている。
この補助電線は５ｍの撚り電線ではあるが、長さは任意である。この補助電線の両端に補助電線固定部材１３が固定されている。
【００２９】
上記架設電線１００Ａは、アルミニウム又は銅で形成された複数の芯線を有する撚り電線である。この架設電線の芯線の外周に絶縁体（例えばポリエチレン）を被覆している。この架設電線１００Ａの芯線１０１Ａは断面積５８ｍｍ２の高圧送電用であり、この架設電線１００Ａ自身の強度により架設できるように強度設計されている。
【００３０】
以上のように形成された長尺物接続具１０Ａ，１０Ｂを用いて断線した架設電線１００の切断端同士を接続する方法を図３〜図４（ａ）（ｂ）（ｃ）（ｄ）を参照して説明する。
まず、何らかの原因で断線した架設電線１００Ａ，１００Ｂの両端部の絶縁被覆を所定長さ除去することにより架設電線１００Ａ，１００Ｂの芯線１０１Ａ，１０１Ｂを露出させる（図４（ａ），（ｂ））。なお、電線への通電は遮断してある。
その後、長尺物接続具１０Ａ，１０Ｂを接続させる（図４（ｃ））。具体的には、この長尺物接続１０Ａ，１０Ｂのチャック１１Ａ、１１Ｂは、ナット部材１２Ａ、１２Ｂで緩く補助電線固定部材１３Ａ、１３Ｂに連結されている。一方側のチャック１１Ａに一方の架設電線１００Ａの芯線１０１Ａを挟み込み、ナット部材１２Ａを手動またはスパナで締め付けることよりチャック１１Ａの分割片同士を押圧する。そして、他方側のチャック１１Ｂに他方の架設電線１００Ｂの芯線１０１Ｂを挟み込み、ナット部材１２Ｂを手動またはスパナで締め付けることよりチャック１１Ｂを押圧する。
その後、長尺物接続具１０Ａ，１０Ｂを例えば絶縁テープや常温収縮チューブにて被覆し、架設電線１００の切断端を接続した状態にする（図４（ｄ））。
その後、架設電線を架設する。
【実施例２】
【００３１】
実施例２に係る長尺物接続具２０Ａ（２０Ｂ）は、チャック２１Ａ（２１Ｂ）と、ナット部材２２Ａ（２２Ｂ）と、補助電線固定部材（本体部材）２３Ａ（２３Ｂ）と、補助電線（補助長尺物）２４とを有して構成されている。つまり、所定長さの補助電線２４の両端に一対の補助電線固定部材２３Ａ（２３Ｂ）がそれぞれ強固に固着され、これらの補助電線固定部材２３Ａ（２３Ｂ）に一対のチャック２１Ａ（２１Ｂ）が、一対のナット部材２２Ａ（２２Ｂ）によりそれぞれ接続されている。
以下、図５を参照して、一方のチャック２１Ａについて説明し、同一構造の他方のそれら２１Ｂについての説明は省略する。また、実施例１と同様の補助電線固定部材２３Ａ，２３Ｂ、ナット部材２２Ａ，２２Ｂ、補助電線２４ついてはその説明は省略する。
【００３２】
上記チャック２１Ａは、所定長さの細長い先細り形状の筒体より構成されている。このチャック２１Ａは、架設電線１００の芯線と同系統の材料（例えばアルミニウム）で形成されている。このチャック２１Ａは、筒体により形成された挿入路に架設電線１００Ａの芯線（切断端）１０１Ａを挟み込むこととなる。
このチャック２１Ａは、その外形は先細り状に形成され、その先端側が徐々に小径となっている。チャック２１Ａの基端側は一定径の棒状部材で構成された補助電線固定部材２３Ａ（本体部材）の一端面と略同径に形成されてこの一端面に当接している。すなわち、チャック２１Ａの基端は、先端に比較して大径である。さらに、このチャック２１Ａの内周面には円周方向の複数の凹凸（雌ねじのような螺旋溝としてもよい）がそのチャック２１Ａの長さ方向に連続して形成されている。これらの凹凸は上記芯線１０１Ａを挟みこんだときの抜け止めとして機能することとなる。
また、このチャック２１Ａは、その基端側からその長さ方向に沿って所定長さ、所定幅の延びるスリットが円周方向に１８０度離間した位置に一対（すなわち２本のスリットが）形成されていることにより、全体としてはその基端側を含む中間部分が拡縮径自在に形成されていることとなる。なお、チャック２１Ａの突出端部にはスリットが形成されていない。このため、チャック２１Ａの軸孔である挿入路が架設電線１００Ａの芯線１０１Ａの太さに対応して拡縮することができる。なお、軸孔の最小径はスリットが当接したときであって、芯線１０１Ａの直径はこの最小径よりも大きい。これは、架設電線の口径の違いに応じてチャックなどを準備することを意味する。
【００３３】
以上のように形成された長尺物接続具２０Ａ，２０Ｂを用いて断線した架設電線１００Ａ，１００Ｂの切断端同士を接続する方法を説明する。
まず、断線した架設電線１００Ａ，１００Ｂの両端部の絶縁被覆を所定長さ除去することにより架設電線１００Ａ，１００Ｂの芯線１０１Ａ，１０１Ｂを露出させる。
その後、長尺物接続具２０Ａ，２０Ｂを接続させる。具体的には、この長尺物接続具２０Ａ，２０Ｂのチャック２１Ａ、２１Ｂは、ナット部材２２Ａ、２２Ｂで緩く補助電線固定部材２３Ａ、２３Ｂに連結されている。一方側のチャック２１Ａに一方の架設電線１００Ａの芯線１０１Ａを挟み込み、ナット部材２２Ａを手動またはスパナで締め付けることよりチャック２１Ａを押圧する。そして、他方側のチャック２１Ｂに他方の架設電線１００Ｂの芯線１０１Ｂを挟み込み、ナット部材２２Ｂを手動またはスパナで締め付けることよりチャック１１Ｂを押圧する。
その後、長尺物接続具２０Ａ，２０Ｂを例えば絶縁テープや常温収縮チューブにて被覆し、架設電線１００の切断端を接続した状態にする。
その後、架設電線を架設する。
【実施例３】
【００３４】
図６において示すように、実施例３に係る長尺物接続具３０Ａ（３０Ｂ）は、チャック３１Ａ（３１Ｂ）と、ナット部材３２Ａ（３２Ｂ）と、補助電線固定部材（本体部材）３３Ａ（３３Ｂ）と、補助電線３４とを有して構成されている。つまり、所定長さの補助電線３４の両端に一対の補助電線固定部材３３Ａ（３３Ｂ）がそれぞれ固着され、これらの補助電線固定部材３３Ａ（３３Ｂ）に一対のチャック３１Ａ（３１Ｂ）がそれぞれ接続されている。
以下、一方の補助電線固定部材３３Ａ、チャック３１Ａ、ナット部材３２Ａについて説明し、同一構造の他方のそれら３３Ｂ，３１Ｂ，３２Ｂについての説明は省略する。また、実施例１と同様の補助電線３４についてはその説明は省略する。
【００３５】
上記チャック３１Ａは、所定長さの細長い先細り形状のテーパー筒であって、その筒体の先端に口径一定の（非テーパ部）円筒部が固着して構成されている。この筒体の軸孔が挿入路を構成する。このチャック３１Ａは、架設電線１００の芯線と同系統の材料（例えばアルミニウム）で形成されている。このチャック３１Ａは、筒体により形成された挿入路に架設電線１００Ａの芯線（切断端）１０１Ａを挟み込むこととなる。
このチャック３１Ａは、その外径は先細り状に形成され、その先端側が徐々に小径となっているテーパ筒と、テーパ部の先端の内径及び外径が等しい円筒部とから構成されている。チャック３１Ａの基端側は一定径の棒状部材で構成された後述する補助電線固定部材３３Ａ（本体部材）の一端に当接している。すなわち、チャック３１Ａの基端は、先端に比較して大径である。さらに、このチャック３１Ａの内周面には円周方向の複数の凹凸がそのチャック３１Ａの長さ方向に連続して形成されている。これらの凹凸は上記芯線１０１Ａを挟みこんだときの抜け止めとして機能することとなる。
また、このチャック３１Ａは、その基端側からその長さ方向に向かって延びる２本のスリットが形成されていることにより、全体としては拡縮径自在に形成されていることとなる。このため、チャック３１Ａの挿入路が架設電線１００Ａの芯線１０１Ａの太さに対応して拡縮することができる。なお、軸孔の最小径はスリットが当接したときであって、芯線１０１Ａの直径はこの最小径よりも大きい。これは、架設電線の口径の違いに応じてチャックなどを準備することを意味する。
このチャックの円筒部の外周には外ねじが形成されている。
【００３６】
上記ナット部材３２Ａは、上記架設電線１００Ａの芯線と同系統の材料で所定長さの円筒体で形成されている。このナット部材３２Ａは軸孔を有し、その軸孔は上記チャック３１Ａの円筒体の外形と同径である。この軸孔にチャック３１Ａの円筒部が挿入されてかつその外ねじに螺入される構成である。
すなわち、このナット部材３２Ａの軸孔の一端部の内周面には、所定長さ範囲にわたって内周ねじが形成されている。この内周ねじは前述のようにチャックに形成された外ねじに螺合される。
【００３７】
上記補助電線固定部材３３Ａは、上記架設電線１００の芯線と同系統の材料で形成されている。この補助電線固定部材３３Ａは一定の長さを有する円柱体（棒材）であり、その一端部にはチャック３１Ａが当接されている。具体的には、この補助電線固定部材３３Ａの一端には、チャック３１Ａのテーパー筒と同じ長さのチャック係合筒３３Ａａが例えばねじ結合などで固着されている。このチャック係合筒３３Ａａは、その内径は先細り状に形成され、その先端側が徐々に小径となっている。すなわち、このチャック係合筒３３Ａａの基端は、先端に比較して内径が大きい。このチャック係合筒３３Ａａの軸孔にチャック２１Ａが嵌合されている。したがって、これらの補助電線固定部材３３Ａおよびチャック係合筒３３Ａａは、全体として本体部材を構成することとなる。
この補助電線固定部材３３Ａの他端部には補助電線３４が挿入・固定されている。固定はあらかじめ圧縮工具を用いて固定部材を圧縮することにより、強固になされている。
【００３８】
以上のように形成された長尺物接続具３０Ａ，３０Ｂを用いて断線した架設電線１００Ａ，１００Ｂの切断端同士を接続する方法を説明する。
まず、断線した架設電線１００Ａ，１００Ｂの両端部の絶縁被覆を所定長さ除去することにより架設電線１００Ａ，１００Ｂの芯線１０１Ａ，１０１Ｂを露出させる。
その後、長尺物接続具３０Ａ，３０Ｂを接続させる。具体的には、この長尺物接続具３０Ａ，３０Ｂのチャック３１Ａ、３１Ｂは、ナット部材３２Ａ、３２Ｂで緩くねじ込まれている。一方側のチャック３１Ａに一方の架設電線１００Ａの芯線１０１Ａを挟み込み、ナット部材３２Ａを手動またはスパナで締め付ける。このことにより、チャック３１Ａは前方に向かって移動し、チャック係合筒３３Ａａに押圧される。
そして、他方側のチャック３１Ｂに他方の架設電線１００Ｂの芯線１０１Ｂを挟み込み、ナット部材３２Ｂを手動またはスパナで締め付ける。このことによりチャック３１Ｂは、前方に向かって移動し、チャック係合筒３３Ｂａに押圧される。
その後、長尺物接続具３０Ａ，３０Ｂを例えば絶縁テープや常温収縮チューブにて被覆し、架設電線１００の切断端を接続した状態にする。
その後、架設電線を架設する。
【実施例４】
【００３９】
図７において示すように、実施例４に係る長尺物接続具４０は、１本の固定部材４０の両端にチャック４１Ａ，４１Ｂを、ナット部材４２Ａ，４２Ｂにより接続した構成である。つまり、実施例４に係る長尺物接続具４０は、架設電線同士を補助電線を介さずに直接接続するものである。
以下、実施例２と同様のチャック４１Ａ，４１Ｂ、ナット部材４２Ａ，４２Ｂついてはその説明は省略する。
【００４０】
上記固定部材４３は、上記架設電線１００の心線と同じ材料で形成されている。この固定部材４３は一定の長さを有する円柱体（棒材）であり、その両端部外周面には雄ねじがそれぞれ形成されている。これらの両端部にはチャック４１Ａ，４１Ｂがそれぞれ、ナット部材４２Ａ，４２Ｂによって接続されている。
【００４１】
以上のように形成された長尺物接続具４０を用いて断線した架設電線１００の切断端同士を接続する方法を説明する。
まず、断線した架設電線１００Ａ，１００Ｂの両端部の絶縁被覆を所定長さ除去することにより架設電線１００Ａ，１００Ｂの芯線１０１Ａ，１０１Ｂを露出させる。
その後、長尺物接続具４０を接続させる。具体的には、この長尺物接続具４０のチャック４１Ａ、４１Ｂは、ナット部材４２Ａ、４２Ｂで緩く固定部材４３に連結されている。一方に設けられた、チャック４１Ａに一方の架設電線１００Ａの芯線１０１Ａを挟み込み、ナット部材４２Ａを手動またはスパナで締め付けることよりチャック４１Ａを押圧する。そして、他方に設けられた、チャック４１Ｂに他方の架設電線１００Ｂの芯線１０１Ｂを挟み込み、ナット部材４２Ｂを手動またはスパナで締め付けることよりチャック４１Ｂを押圧する。
その後、長尺物接続具４０を例えば絶縁テープや常温収縮チューブにて被覆し、架設電線１００の切断端を接続した状態にする。
その後、架設電線を架設する。
【００４２】
また、図８のように架設電線１００の接続端同士を接続する際に、補助電線４４を用いることも可能である。この場合、長尺物接続具を２個使用する。
まず、断線した架設電線１００Ａ，１００Ｂの両端部の絶縁被覆を所定長さ除去することにより架設電線１００Ａ，１００Ｂの芯線１０１Ａ，１０１Ｂを露出させる。
その後、長尺物接続具４０を接続させる。具体的には、まず１個目の長尺物接続具４０のチャック４１Ａ、４１Ｂは、ナット部材４２Ａ、４２Ｂで緩く固定部材４３に連結されている。一方に設けられた、チャック４１Ａに一方の架設電線１００Ａの芯線１０１Ａを挟み込み、ナット部材４２Ａを手動またはスパナで締め付けることよりチャック４１Ａを押圧する。そして、他方に設けられた、チャック４１Ｂに補助電線４４を挟み込み、ナット部材４２Ｂを手動またはスパナで締め付けることよりチャック４１Ｂを押圧する。
次に、２個目の長尺物接続具を１個目の長尺物接続具４０と同様に架設電線１００Ｂの芯線１０１Ｂと、補助電線４４を接続する。
その後、長尺物接続具４０を例えば絶縁テープや常温収縮チューブにて被覆し、架設電線１００の切断端を接続した状態にする。
その後、架設電線を架設する。
【実施例５】
【００４３】
図９において示すように、実施例５に係る長尺物接続具５０は、実施例４のナット部材を第１のナット部材５２Ａと第２のナット部材５２Ａａに分割された長尺物接続具５０である。
以下、図９に参照して説明する。なお、実施例４と同様のチャック５１Ａ，５１Ｂ、固定部材５３ついてはその説明は省略する。
【００４４】
上記第１のナット部材５２Ａは、縦割り２分割の筒体のチャック５１Ａを棒材である固定部材５３の一端面に突き合わせて同軸的に接続する。第１のナット部材５２Ａは上記架設電線１００Ａの芯線１０１Ａと同系統の材料で所定長さの円筒体で形成されている。この第１のナット部材５２Ａの軸孔がその長さ方向に沿ってその一端から他端に向かって連続的に縮径している。一端開口が最も大径で、他端開口が最も小径である。この大径の一端開口から上記一対のチャック５１Ａを先細り状の筒体が挿入されて、その小径の他端開口からこの筒体の最大径部である一端部が抜け出ることが妨げられる構成である。このように先細り状の筒体であるチャック５１Ａの外周面に、第１のナット部材５２Ａの軸孔内周面が摺接して係合するため、これらの先細り面の傾斜角度と軸孔内周面のそれとはほぼ同じに設定されている。
この第１のナット部材５２Ａの軸孔内には、上記筒体のチャック５１Ａが挿入され、ナット部材５２Ａはチャック５１Ａを外側から押圧する。
【００４５】
上記第２のナット部材５２Ａａは、内周面に形成された雌ねじにより固定部材５３の一端面に形成された外周ねじに螺合している。すなわち、第２のナット部材５２Ａａの一端部は固定部材５３にねじ込まれ、その他端は半径方向内方に向かって突出したフランジが第１のナット部材５２Ａの一端部外周フランジに当接する構成である。第２のナット部材５２Ａａは上記架設電線１００Ａの芯線１０１Ａと同系統の材料で所定長さの円筒体で形成されている。この第２のナット部材５２Ａａの一端開口から上記第１のナット部材５２Ａが挿入されて、他端開口から第１のナット部材５２Ａが抜け出ることが妨げられる構成である。
この第２のナット部材５２Ａａの軸孔の内周面には、一端から所定長さ範囲にわたって内周ねじが形成されている。この内周ねじは固定部材５３の一端部の外周面に形成された外ねじに螺合される。
【００４６】
このように、第１のナット部材５２Ａと、第２のナット部材５２Ａａとに分割することで、第１のナット部材５２Ａと、チャック５１Ａとの接触面積が小さくなり、チャック５１Ａと、第１のナット部材５２Ａとが供回りすることを防ぐことができる。
【図面の簡単な説明】
【００４７】
【図１】本発明の実施例１に係る長尺物接続具を示す断面図である。
【図２】本発明の実施例１に係る長尺物接続具のチャックの一部を示す斜視図である。
【図３】本発明の実施例１に係る長尺物接続具を用いて架設電線の切断端を接続したときの側面図である。
【図４】本発明の実施例１に係る長尺物接続具を用いて断線した架設電線の切断端を接続する作業の流れを示す図である。
【図５】本発明の実施例２に係る長尺物接続具を示す断面図である。
【図６】本発明の実施例３に係る長尺物接続具を示す断面図である。
【図７】本発明の実施例４に係る長尺物接続具を示す断面図である。
【図８】本発明の実施例４に係る長尺物接続具を用いて架設電線の切断端を接続したときの側面図である。
【図９】本発明の実施例５に係る長尺物接続具を示す断面図である。
【符号の説明】
【００４８】
１０，２０，３０，４０，５０  長尺物接続具、
１１，２１、３１，４１、５１  チャック、
１２，２２、３２，４２、５２  ナット部材、
１３、２３，３３  補助電線固定部材
１００  架設電線。
【図１】
2010096344.tif 000003
【図２】
2010096344.tif 000004
【図３】
2010096344.tif 000005
【図４】
2010096344.tif 000006
【図５】
2010096344.tif 000007
【図６】
2010096344.tif 000008
【図７】
2010096344.tif 000009
【図８】
2010096344.tif 000010
【図９】
2010096344.tif 000011